(57)【要約】【課題】本発明は降雨時、袖瓦の側板部に雨水が降りつけ難くして、側板部から雨水が雨垂れとなって落下することを低減できる袖瓦を提供する。【解決手段】天板部２と側板部３よりなる断面略逆Ｌ状の袖瓦本体１の、前記側板部３下端縁に薄板状の雨受辺４を突設するとともに、側板部３を雨受辺４の上面基部より側板部３上方に向かって外方に張り出した傾斜面５とし、側板部３上部に庇部５ａを形成するとともに、雨受辺４の上面幅を大きくすることにより、通水量を増すことができ、庇部５ａによる庇効果により側板部３に降りつける雨量を減らし、雨受辺３を薄板状として雨受辺の側面に降り付ける雨水を減らして雨垂れの発生を抑えている。【選択図】図１
2015021364.tif 000002
【特許請求の範囲】
【請求項１】
天板部と側板部よりなる断面略逆Ｌ状の袖瓦本体の、前記側板部下端縁に薄板状の雨受辺を突設するとともに、側板部を雨受辺の上面基部より側板部上方に向かって外方に張り出した傾斜面とし、側板部上部に庇部を形成したことを特徴とする袖瓦。
【請求項２】
雨受辺の先端縁を庇部の先端縁と面一または内側に位置させたことを特徴とする請求項１に記載の袖瓦。
【請求項３】
雨受辺の先方部を側板部と同一面となるようテーパ状としたことを特徴とする請求項１または２に記載の袖瓦。
【発明の詳細な説明】
【技術分野】
【０００１】
本発明は、屋根の端に葺設される断面が略逆Ｌ字形をなす袖瓦に関するものである。
【背景技術】
【０００２】
袖瓦として、側面部に長さ方向に延びる切欠き溝を頭見付部まで連続して形成したものが知られている（特許文献１参照）。
【０００３】
しかし、上面部と側面部が交差する角部は弧状に形成されており、上面部に降る雨は弧状部を介して側面部に流れやすいうえに、側面部に降りつける雨は側面部を伝い切欠き溝に流れ込むため切欠き溝を流れる雨水量は多くなる。しかも、切欠き溝を流れる雨水は次々と次段の切欠き溝に流れ込んでいくので、通過する雨水量は指数関数的に増し、切欠き溝の通水限界は普通の降雨で簡単に越えて切欠き溝より雨水は溢れて雨垂れとなって地面に落下するという問題がある。
【先行技術文献】
【特許文献】
【０００４】
【特許文献１】特開２０１０-１９０００３号公報
【発明の概要】
【発明が解決しようとする課題】
【０００５】
本発明は雨水が側板部より雨垂れとなって地面に落下することを低減する袖瓦を提供することを目的とする。
【課題を解決するための手段】
【０００６】
本発明は、天板部と側板部よりなる断面略逆Ｌ状の袖瓦本体の、前記側板部下端縁に薄板状の雨受辺を突設するとともに、側板部を雨受辺の上面基部より側板部上方に向かって外方に張り出した傾斜面とし、側板部上部に庇部を形成したことを特徴とするものである。
【０００７】
なお、雨受辺の先端縁を庇部の先端縁と面一または内側に位置させたり、雨受辺の先方部を側板部と同一面となるようテーパ状にさせたりしてもよい。
【発明の効果】
【０００８】
本発明は、天板部と側板部よりなる断面略逆Ｌ状の袖瓦本体の、前記側板部下端縁に薄板状の雨受辺を突設するとともに、側板部を雨受辺の上面基部より側板部上方に向かって外方に張り出した傾斜面とし、側板部上部に庇部を形成したことにより、庇部による庇効果により側板部に降りつける雨量を減らすことができる。また、傾斜面とすることにより雨受辺の受け面、即ち上面を幅広にでき通水量を大きくすることができるので、多数の袖瓦本体を経て集水される下方の雨受辺を流れる雨水が通水限界を越えて溢流することを防ぎ雨垂れの発生を抑えるものである。さらに、雨受辺を薄板状として側板部の下端縁に形成することにより、側板部に降り付ける雨は確実に捕捉できるので雨垂れの発生をなくすることができる。
【０００９】
請求項２のように、雨受辺の先端縁を庇部の先端縁と面一または内側に位置させたことにより、庇部により雨は遮られるので、雨受辺上への雨の降り込みを低減できる。また、雨受辺の先端縁を庇部の先端縁より内側に位置させれば、雨受辺に降り込む雨をより一層低減できるので、雨受辺で受ける雨水量を減らすことができる。
【００１０】
また、請求項３のように、雨受辺の先方部を側板部と同一面となるようテーパ状としたことにより、雨受辺の先端から溢流する雨水は側板部と同一面となるテーパ状部により流れを乱されることなく滑らかに流れ出て、次段の袖瓦本体の雨受辺に雨水を円滑に伝えることができ、側板部から雨水が雨垂れとなって落下することを防ぐことができる。
【図面の簡単な説明】
【００１１】
【図１】本発明の第１の実施形態を示す一部切欠斜視図である。
【図２】同じく正面図である。
【図３】同じく縦断正面図である。
【図４】同じく使用状態を示す斜視図である。
【図５】本発明の第２の実施形態を示す一部切欠斜視図である。
【図６】同じく縦断正面図である。
【発明を実施するための形態】
【００１２】
次に、本発明の第１の実施形態を図１〜４に基づいて詳細に説明する。
１は天板部２と側板部３とからなる断面略逆Ｌ状の袖瓦本体であって、袖瓦本体１の側板部３の下端縁には薄板状の雨受辺４が突設されている。該雨受辺４は後段の袖瓦本体１の頭を重ね合わせて受ける尻を除いて先端まで形成される。
【００１３】
また、側板部３を雨受辺４の上面基部より側板部上方に向かって外方に張り出した傾斜面５とすることにより、図４に示すように、側板部３の上部にテーパ状の庇部５ａが形成され、天板部２と側板部３の交差部は図４に示すように、エッジ状となる。また、側板部３を外方に張り出した傾斜面５とすることにより、垂直面の場合より雨受辺４の上面幅を大きくすることができ、通水量を増やすことができる。また、側板部３の傾斜角を変えることにより雨受辺４の上面幅を拡縮できることとなる。また、雨受辺４を薄板状とすることにより、雨受辺４の側面に降り付ける雨を減らして、側面から雨が雨垂れとなって落下することを防止している。
【００１４】
雨受辺４は図４に示すように、その先端縁を庇部５ａの先端縁と同一か内側に位置させることにより、雨受辺４に降り込む雨を低減して雨受辺４を流れる雨量を減らしている。特に、雨受辺４の先端縁を庇部５ａの先端縁より内側に位置させれば、雨受辺４に降り込む雨をより一層減らすことができ、雨受辺４に流れ込む雨水の溢流をより的確に抑えて雨垂れの落下を防いでいる。
【００１５】
また、テーパ状の庇部５ａの上端はエッジ状となるため、雨水は表面張力によりエッジ状部を伝って次段の袖瓦本体１に伝えられるので、雨水が天板部２から側板部３に移行することを抑えられるので、天板部と側板部の交差部を弧状に形成したものと比較して、天板部２から側板部３に伝わる雨水量が大幅に低減できる。このため雨受辺４から雨水が溢流して雨垂れとなって落下することを防ぐことができる。
【００１６】
また、雨受辺４は図１、２に示されるように、先方部を側板部３と同一面となるテーパ状とすることにより、雨受辺４上を流れる雨水は流れを乱されることなく滑らかに溢流して次段の袖瓦本体１に雨水を円滑に移行させることができ、溢流水が雨垂れとなって落下することを的確に防ぐことができる。
【００１７】
このように構成されたものは、屋根の袖部に葺設して見栄えを良くするとともに、降雨時、上端が外方に張り出す庇部５ａにより雨受辺４に降込む雨を低減すことができるうえに、庇部５ａのエッジ状部により天板部２の雨水は側板部３に移行し難くなるので、側板部３に流れる雨水は極力抑えられることとなる。このため、雨水が多数の袖瓦本体１の雨受辺４を介して集合されても、雨受辺４の通水限界を越えることを防止でき、雨水が雨受辺４より溢流して雨垂れとなって地面に落下することを防ぐことができる。
【００１８】
また、図５、６に示す第２の実施形態は、側板部３の雨受辺４の上面基部より側板部上方に向かって外方に張り出した傾斜面５は上端まで達せず途中で垂直面となり、庇部５ａが垂直面を有するものとして、側板部３に当たる光の反射角度を異ならせて二色様に見せてデザイン性を高めた点が相違する以外、第１の実施形態と作用効果は同じため、同一符号を付して説明を省略する。
【符号の説明】
【００１９】
１  袖瓦本体
２  天板部
３  側板部
４  雨受辺
５  傾斜面
5a  庇部
【図１】
2015021364.tif 000003
【図２】
2015021364.tif 000004
【図３】
2015021364.tif 000005
【図４】
2015021364.tif 000006
【図５】
2015021364.tif 000007
【図６】
2015021364.tif 000008